(57)【要約】【課題】媒体搬送部材本体の溝に物体が嵌まることにより発生する事故を低減すること。【解決手段】回転軸（１）の回転に応じて媒体（Ｓ）を搬送する媒体搬送部材本体（３）であって、前記回転軸（１）に支持される被支持部（４ａ）と、外表面の一部に形成され、媒体（Ｓ）に接触して搬送する断面円弧状の接触搬送部（５）と、接触搬送部（５）以外の外表面の一部が切除されて形成された切除部（４ｃ）と、回転軸（１）を切除部（４ａ）の外方から被支持部（４ａ）まで径方向に挿入可能な挿入溝（４ｄ）とを有する媒体搬送部材本体（３）と、切除部（４ｃ）を閉塞する閉塞部材（６）であって、媒体搬送部材本体（３）と一体的に回転可能に支持された閉塞部材（６）とを備えたことを特徴とする媒体搬送部材（Ｒp）。【選択図】図６
2009227428.tif 000002
【特許請求の範囲】
【請求項１】
回転可能に支持された回転軸と、
前記回転軸に支持され、前記回転軸の回転に応じて媒体を搬送する略円筒状の媒体搬送部材本体であって、
前記媒体搬送部材本体の径方向の中心部を貫通して形成され、前記回転軸に支持される被支持部と、
前記媒体搬送部材本体の外表面の一部に形成され前記媒体に接触して前記媒体を搬送する断面円弧状の接触搬送部と、
前記接触搬送部以外の前記外表面の一部が除かれて形成された除かれ部と、
前記被支持部から前記除かれ部まで前記媒体搬送部材本体の径方向に延びて形成され、前記回転軸を外方から前記被支持部まで挿入可能な挿入溝と、
を有する前記媒体搬送部材本体と、
前記媒体搬送部材本体の軸方向の一端から他端まで延びて、前記除かれ部を閉塞する閉塞部材であって、前記媒体搬送部材本体と一体的に回転可能に支持された前記閉塞部材と、
を備えたことを特徴とする媒体搬送部材。
【請求項２】
前記閉塞部材の軸方向の端部から、前記媒体搬送部材本体の径方向内側である回転軸側に延びて、前記挿入溝の軸方向の外端部を閉塞する外端閉塞部、
を備えたことを特徴とする請求項１に記載の媒体搬送部材。
【請求項３】
前記外端閉塞部の回転軸側端部に形成されて前記回転軸を挟持する挟持部、
を備えたことを特徴とする請求項２に記載の媒体搬送部材。
【請求項４】
前記外端閉塞部の回転軸側端部に前記媒体搬送部材本体の径方向に延びて形成され且つ互いに接近・離間する方向に弾性変形可能な一対の腕部と、前記各腕部の回転軸側端部に形成され且つ前記回転軸を挟む一対の挟持部と、を有し、前記挟持部で前記回転軸に支持される閉塞部材被支持部と、
前記一対の腕部の間に配置され且つ弾性変形可能な解除腕部と、前記解除腕部に設けられ、前記解除腕部の弾性変形に伴って前記腕部に係合して前記腕部を互いに離間させて前記挟持部による前記回転軸の挟み込みを解除させる解除位置と、前記腕部が互いに接近して前記挟持部が前記回転軸を挟持する通常位置との間で前記解除腕部を移動させる解除操作部とを有する支持解除部と、
前記閉塞部材被支持部と、前記支持解除部とを有する前記閉塞部材、
を備えたことを特徴とする請求項２または３に記載の媒体搬送部材。
【請求項５】
前記回転軸に支持され、前記媒体搬送部材本体の軸方向の一端の外方に設けられ、外径が前記接触搬送部の外径よりも小さく形成された小径部材であって、前記媒体が前記接触搬送部に接触していない場合に、前記媒体に接触して押圧する前記小径部材、
を備えたことを特徴とする請求項１ないし４のいずれかに記載の媒体搬送部材。
【請求項６】
溝部が形成された前記回転軸と、
前記回転軸の軸方向にスライド移動可能に支持された前記小径部材であって、前記溝部に係合する軸方向位置決め用爪部を有する前記小径部材と、
を備えたことを特徴とする請求項５に記載の媒体搬送部材。
【請求項７】
前記閉塞部材の軸方向の端部から、前記媒体搬送部材本体の径方向内側である回転軸側に延びて、前記挿入溝の軸方向の外端部を閉塞する外端閉塞部であって、
前記外端閉塞部の回転軸側端部に前記媒体搬送部材本体の径方向に延びて形成され且つ互いに接近・離間する方向に弾性変形可能な一対の腕部と、前記各腕部の回転軸側端部に形成され且つ前記回転軸を挟む一対の挟持部と、を有し、前記挟持部で前記回転軸に支持される閉塞部材被支持部と、
前記一対の腕部の間に配置され且つ弾性変形可能な解除腕部と、前記解除腕部に設けられ、前記解除腕部の弾性変形に伴って前記腕部に係合して前記腕部を互いに離間させて前記挟持部による前記回転軸の挟み込みを解除させる解除位置と、前記腕部が互いに接近して前記挟持部が前記回転軸を挟持する通常位置との間で前記解除腕部を移動させる解除操作部とを有する支持解除部と、
を有する前記外端閉塞部と、
前記支持解除部の外側に配置された前記小径部材であって、前記小径部材を前記回転軸の軸方向の内側である前記支持解除部側に移動させた場合に、前記解除操作部に係合する前記小径部材の軸方向の一端面が、前記支持解除部を前記挿入溝の軸方向の内側に押圧することにより、前記解除腕部を前記通常位置から前記解除位置に移動させる前記小径部材と、
を備えたことを特徴とする請求項６に記載の媒体搬送部材。
【請求項８】
媒体を収容する媒体収容容器と、
前記媒体積載容器に収容された前記媒体を搬送する請求項１ないし７のいずれかに記載の媒体搬送部材と、
を備えたことを特徴とする媒体供給装置。
【請求項９】
媒体を供給する請求項８に記載の媒体供給装置と、
供給された前記媒体を搬送する媒体搬送装置と、
搬送された前記媒体に画像を記録する画像記録装置と、
を備えたことを特徴とする画像形成装置。
【発明の詳細な説明】
【技術分野】
【０００１】
本発明は、媒体搬送部材、媒体供給装置および画像形成装置に関する。
【背景技術】
【０００２】
従来より、画像形成装置の給紙トレイに積載された記録シートを送り出す送出部材、いわゆる、ピックアップロールが知られている。
前記ピックアップロールについて、例えば、下記の特許文献１，２に記載の技術が知られている。
【０００３】
特許文献１としての特許第３７４０２４１号明細書には、断面四角形状の給紙角軸（３）と、断面略Ｃ字形状の摩擦ローラ部（４）とにより構成されたピックアップロールの一例としての給紙ローラ（３＋４）についての技術が記載されている。特許文献１では、前記摩擦ローラ部（４）には、前記給紙角軸（３）が挿通される前記嵌合穴（１８）と、外表面から前記嵌合穴（１８）まで延びる溝（１９）とが形成されている。また、特許文献１では、前記摩擦ローラ部（４）の軸方向両端部には、給紙ローラカム（５，６）が、前記給紙角軸（３）に貫通し且つ軸方向に移動可能に支持されており、前記給紙ローラカム（５，６）には、前記嵌合穴（１８）よりも小さく且つ前記給紙角軸（３）よりも大きな角筒状のボス部（１３，１４）が形成されている。
【０００４】
したがって、特許文献１では、前記給紙角軸（３）が前記溝（１９）に挿通された後に、前記給紙ローラカム（５，６）で前記摩擦ローラ部（４）を挟み込むことにより、前記ボス部（１３，１４）が前記嵌合穴（１８）に嵌まって、前記摩擦ローラ部（４）が前記給紙角軸（３）に支持されている。また、特許文献１では、磨耗劣化等により、前記摩擦ローラ部（４）を交換する場合には、前記嵌合穴（１８）と前記ボス部（１３，１４）との嵌め合いを解除することにより、前記溝（１９）を介して、前記摩擦ローラ部（４）を前記給紙角軸（３）から容易に着脱することができる。
【０００５】
特許文献２としての特許第３８４２５０３号明細書には、回転軸（２）に支持された、いわゆる、フィードロールとしての主給紙ローラ（１）および、いわゆる、ピックアップロールとしての補助給紙ローラ（６）とを有する給紙ローラ（１，６）において、断面半月状に形成された前記補助給紙ローラ（６）の取付け構造についての技術が記載されている。特許文献２では、前記回転軸（２）のローラ取付部（１６）は、断面小判状に形成されており、前記補助給紙ローラ（６）は、前記ローラ取付部（１６）の長軸方向に沿って延びて形成された弾性変形可能な１対の挟着片（１７）により、前記ローラ取付部（１６）の長軸方向の両側面が挟まれることにより装着されている。
したがって、特許文献２では、樹脂等の弾性部材で形成された１対の前記挟着片（１７）が、前記ローラ取付部（１６）を挟着することにより、前記補助給紙ローラ（６）が前記回転軸（２）に支持されている。このため、前記挟着片（１７）どうしの間隔を広げる方向に弾性変形させることにより、前記回転軸（２）に対して前記補助給紙ローラ（６）を容易に着脱交換できる。
【０００６】
すなわち、特許文献１，２には、断面半月状のピックアップロールにおいて、回転軸や作業者の指等のその他の物体が挿通可能な程度に開放されたピックアップロール本体の開放部を介して、前記ピックアップロール本体を前記回転軸から着脱する技術が記載されている。
【０００７】
【特許文献１】特許第３７４０２４１号明細書（「００１８」〜「００２５」、図１〜図６）
【特許文献２】特許第３８４２５０３号明細書（「００２３」〜「００２５」、図９、図１０）
【発明の開示】
【発明が解決しようとする課題】
【０００８】
本発明は、媒体搬送部材本体の溝に物体が嵌まることにより発生する事故を低減することを技術的課題とする。
【課題を解決するための手段】
【０００９】
前記技術的課題を解決するために、請求項１記載の発明の媒体搬送部材は、
回転可能に支持された回転軸と、
前記回転軸に支持され、前記回転軸の回転に応じて媒体を搬送する略円筒状の媒体搬送部材本体であって、
前記媒体搬送部材本体の径方向の中心部を貫通して形成され、前記回転軸に支持される被支持部と、
前記媒体搬送部材本体の外表面の一部に形成され前記媒体に接触して前記媒体を搬送する断面円弧状の接触搬送部と、
前記接触搬送部以外の前記外表面の一部が除かれて形成された除かれ部と、
前記被支持部から前記除かれ部まで前記媒体搬送部材本体の径方向に延びて形成され、前記回転軸を外方から前記被支持部まで挿入可能な挿入溝と、
を有する前記媒体搬送部材本体と、
前記媒体搬送部材本体の軸方向の一端から他端まで延びて、前記除かれ部を閉塞する閉塞部材であって、前記媒体搬送部材本体と一体的に回転可能に支持された前記閉塞部材と、
を備えたことを特徴とする。
【００１０】
請求項２に記載の発明は、請求項１に記載の媒体搬送部材において、
前記閉塞部材の軸方向の端部から、前記媒体搬送部材本体の径方向内側である回転軸側に延びて、前記挿入溝の軸方向の外端部を閉塞する外端閉塞部、
を備えたことを特徴とする。
【００１１】
請求項３に記載の発明は、請求項２に記載の媒体搬送部材において、
前記外端閉塞部の回転軸側端部に形成されて前記回転軸を挟持する挟持部、
を備えたことを特徴とする。
【００１２】
請求項４に記載の発明は、請求項２または３に記載の媒体搬送部材において、
前記外端閉塞部の回転軸側端部に前記媒体搬送部材本体の径方向に延びて形成され且つ互いに接近・離間する方向に弾性変形可能な一対の腕部と、前記各腕部の回転軸側端部に形成され且つ前記回転軸を挟む一対の挟持部と、を有し、前記挟持部で前記回転軸に支持される閉塞部材被支持部と、
前記一対の腕部の間に配置され且つ弾性変形可能な解除腕部と、前記解除腕部に設けられ、前記解除腕部の弾性変形に伴って前記腕部に係合して前記腕部を互いに離間させて前記挟持部による前記回転軸の挟み込みを解除させる解除位置と、前記腕部が互いに接近して前記挟持部が前記回転軸を挟持する通常位置との間で前記解除腕部を移動させる解除操作部とを有する支持解除部と、
前記閉塞部材被支持部と、前記支持解除部とを有する前記閉塞部材、
を備えたことを特徴とする。
【００１３】
請求項５に記載の発明は、請求項１ないし４のいずれかに記載の媒体搬送部材において、
前記回転軸に支持され、前記媒体搬送部材本体の軸方向の一端の外方に設けられ、外径が前記接触搬送部の外径よりも小さく形成された小径部材であって、前記媒体が前記接触搬送部に接触していない場合に、前記媒体に接触して押圧する前記小径部材、
を備えたことを特徴とする。
【００１４】
請求項６に記載の発明は、請求項５に記載の媒体搬送部材において、
溝部が形成された前記回転軸と、
前記回転軸の軸方向にスライド移動可能に支持された前記小径部材であって、前記溝部に係合する軸方向位置決め用爪部を有する前記小径部材と、
を備えたことを特徴とする。
【００１５】
請求項７に記載の発明は、請求項６に記載の媒体搬送部材において、
前記閉塞部材の軸方向の端部から、前記媒体搬送部材本体の径方向内側である回転軸側に延びて、前記挿入溝の軸方向の外端部を閉塞する外端閉塞部であって、
前記外端閉塞部の回転軸側端部に前記媒体搬送部材本体の径方向に延びて形成され且つ互いに接近・離間する方向に弾性変形可能な一対の腕部と、前記各腕部の回転軸側端部に形成され且つ前記回転軸を挟む一対の挟持部と、を有し、前記挟持部で前記回転軸に支持される閉塞部材被支持部と、
前記一対の腕部の間に配置され且つ弾性変形可能な解除腕部と、前記解除腕部に設けられ、前記解除腕部の弾性変形に伴って前記腕部に係合して前記腕部を互いに離間させて前記挟持部による前記回転軸の挟み込みを解除させる解除位置と、前記腕部が互いに接近して前記挟持部が前記回転軸を挟持する通常位置との間で前記解除腕部を移動させる解除操作部とを有する支持解除部と、
を有する前記外端閉塞部と、
前記支持解除部の外側に配置された前記小径部材であって、前記小径部材を前記回転軸の軸方向の内側である前記支持解除部側に移動させた場合に、前記解除操作部に係合する前記小径部材の軸方向の一端面が、前記支持解除部を前記挿入溝の軸方向の内側に押圧することにより、前記解除腕部を前記通常位置から前記解除位置に移動させる前記小径部材と、
を備えたことを特徴とする。
【００１６】
前記技術的課題を解決するために、請求項８記載の発明の媒体供給装置は、
媒体を収容する媒体収容容器と、
前記媒体積載容器に収容された前記媒体を搬送する請求項１ないし７のいずれかに記載の媒体搬送部材と、
を備えたことを特徴とする。
【００１７】
前記技術的課題を解決するために、請求項９記載の発明の画像形成装置は、
媒体を供給する請求項８に記載の媒体供給装置と、
供給された前記媒体を搬送する媒体搬送装置と、
搬送された前記媒体に画像を記録する画像記録装置と、
を備えたことを特徴とする。
【発明の効果】
【００１８】
請求項１に記載の発明によれば、本発明の構成を有しない場合に比べ、前記挿入溝に物体が嵌まることにより発生する事故を低減することができる。
請求項２に記載の発明によれば、物体が前記挿入溝の軸方向の外端部の外方から内方に挿入されることを防止でき、本発明の構成を有しない場合に比べ、前記挿入溝に前記物体が嵌まることにより発生する事故を低減することができる。
【００１９】
請求項３に記載の発明によれば、前記閉塞部材を前記回転軸に支持できる。
請求項４に記載の発明によれば、本発明の構成を有しない場合に比べ、作業者が前記閉塞部材を前記回転軸から容易に着脱することができる。
【００２０】
請求項５に記載の発明によれば、本発明の構成を有しない場合に比べ、押圧された前記媒体が、先に搬送された媒体に連られて搬送されることを低減できる。
請求項６に記載の発明によれば、前記小径部材を軸方向で位置決めすることができる。
請求項７に記載の発明によれば、本発明の構成を有しない場合に比べ、作業者が前記閉塞部材を前記回転軸から容易に着脱することができる。
【００２１】
請求項８に記載の発明によれば、本発明の構成を有しない場合に比べ、前記挿入溝に物体が嵌まることにより発生する事故が低減された前記媒体供給装置を提供できる。
請求項９に記載の発明によれば、本発明の構成を有しない場合に比べ、前記挿入溝に物体が嵌まることにより発生する事故が低減された前記画像形成装置を提供できる。
【発明を実施するための最良の形態】
【００２２】
次に図面を参照しながら、本発明の実施の形態の具体例である実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２３】
図１は本発明の実施例１の画像形成装置の全体説明図である。
図１において、画像形成装置Ｕは自動原稿搬送装置Ｕ1と、これを支持し且つ上端に透明な原稿読取面ＰＧを有する画像形成装置本体Ｕ2とを備えている。
前記自動原稿搬送装置Ｕ1は、複写しようとする複数の原稿Ｇｉが重ねて収容される原稿給紙部ＴＧ1と、原稿給紙部ＴＧ1から給紙され前記原稿読取面ＰＧ上の原稿読取位置を通過して搬送される原稿Ｇｉが排出される原稿排紙部ＴＧ2とを有している。
前記画像形成装置本体Ｕ2は、利用者が画像形成動作開始等の作動指令信号を入力操作する操作部ＵＩと、露光光学系Ａ等を有する。
【００２４】
前記自動原稿搬送装置Ｕ1で原稿読取面ＰＧ上を搬送される原稿Ｇｉまたは手動で原稿読取面ＰＧ上に置かれた原稿Ｇｉからの反射光は、前記露光光学系Ａを介して、撮像部材の一例としての固体撮像素子ＣＣＤにより撮像されて、赤Ｒ、緑Ｇ、青Ｂの電気信号に変換される。
画像情報変換部ＩＰＳは、固体撮像素子ＣＣＤから入力される前記ＲＧＢの電気信号を黒Ｋ、イエローＹ、マゼンタＭ、シアンＣの画像情報に変換して一時的に記憶し、前記画像情報を所定の時期に潜像形成用の画像情報として潜像形成装置駆動回路ＤＬに出力する。
なお、原稿画像が単色画像、いわゆる、モノクロの場合は、黒Ｋのみの画像情報が潜像形成装置駆動回路ＤＬに入力される。
【００２５】
前記潜像形成装置駆動回路ＤＬは、図示しない各色Ｙ，Ｍ，Ｃ，Ｋの各駆動回路を有し、入力された画像情報に応じた信号を所定の時期に、各色毎に配置された潜像形成装置ＬＨｙ，ＬＨｍ，ＬＨｃ，ＬＨｋに出力する。
前記自動原稿搬送装置Ｕ1、前記原稿読取面ＰＧ、前記露光光学系Ａ、前記固体撮像素子ＣＣＤ、前記画像情報変換部ＩＰＳ等により、実施例１の画像読取装置（Ｕ1＋ＰＧ＋Ａ＋ＣＣＤ＋ＩＰＳ）が構成されている。
【００２６】
図２は実施例１の画像形成装置の要部拡大説明図である。
前記画像形成装置Ｕの重力方向中央部に配置された可視像形成装置Ｕｙ，Ｕｍ，Ｕｃ，Ｕｋはそれぞれ、Ｙ、Ｍ、Ｃ、およびＫの各色の可視像を形成する装置である。
潜像形成装置ＬＨｙ〜ＬＨｋの各潜像書込光源から出射した図示しないＹ，Ｍ，Ｃ，Ｋの潜像書込光は、それぞれ、回転する像保持体ＰＲｙ，ＰＲｍ，ＰＲｃ，ＰＲｋに入射する。なお、実施例１では、前記潜像形成装置ＬＨｙ〜ＬＨｋは、いわゆる、ＬＥＤ：Light Emitting Diodeアレイにより構成されている。
前記Ｙの可視像形成装置Ｕｙは、回転する像保持体ＰＲｙ、帯電器ＣＲｙ，潜像形成装置ＬＨｙ、現像装置Ｇｙ、転写器Ｔ１ｙ、像保持体清掃器ＣＬｙを有している。なお、実施例１では、前記像保持体ＰＲｙ、帯電器ＣＲｙ、像保持体清掃器ＣＬｙが、画像形成装置本体Ｕ２に対して一体的に着脱可能な像保持体ユニットとして構成されている。
前記可視像形成装置Ｕｍ，Ｕｃ，Ｕｋはいずれも前記Ｙの可視像形成装置Ｕｙと同様に構成されている。
【００２７】
図１，図２において、前記各像保持体ＰＲｙ，ＰＲｍ，ＰＲｃ，ＰＲｋはそれぞれの帯電器ＣＲｙ，ＣＲｍ，ＣＲｃ，ＣＲｋにより帯電された後、画像書込位置Ｑ１ｙ、Ｑ１ｍ，Ｑ１ｃ，Ｑ１ｋにおいて、前記潜像書込光により、その表面に静電潜像が形成される。前記像保持体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて、現像装置Ｇｙ，Ｇｍ，Ｇｃ，Ｇｋの現像剤保持体の一例としての現像ロールＲ０ｙ，Ｒ０ｍ，Ｒ０ｃ，Ｒ０ｋに保持された現像剤により可視像の一例としてのトナー像に現像される。
その現像されたトナー像は、中間転写体の一例としての中間転写ベルトＢに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写器Ｔ1ｙ，Ｔ1ｍ，Ｔ1ｃ，Ｔ1ｋには、制御部Ｃにより制御される電源回路Ｅから所定の時期にトナーの帯電極性と逆極性の１次転写電圧が印加される。
【００２８】
前記各像保持体ＰＲｙ〜ＰＲｋ上のトナー像は前記１次転写器Ｔ1ｙ，Ｔ1ｍ，Ｔ1ｃ，Ｔ1ｋにより中間転写ベルトＢに１次転写される。１次転写後の像保持体ＰＲｙ，ＰＲｍ，ＰＲｃ，ＰＲｋ表面の残留物、付着物は、像保持体清掃器ＣＬｙ，ＣＬｍ，ＣＬｃ，ＣＬｋにより清掃される。清掃された前記像保持体ＰＲｙ，ＰＲｍ，ＰＲｃ，ＰＲｋ表面は、帯電器ＣＲｙ，ＣＲｍ，ＣＲｃ，ＣＲｋにより再帯電される。
【００２９】
前記像保持体ＰＲｙ〜ＰＲｋの上方には、上下移動可能且つ前方に引き出し可能な中間転写装置の一例としてのベルトモジュールＢＭが配置されている。前記ベルトモジュールＢＭは、前記中間転写ベルトＢと、中間転写体駆動部材の一例としてのベルト駆動ロールＲｄ、中間転写体張架部材の一例としてのテンションロールＲｔ、蛇行防止部材の一例としてのウォーキングロールＲｗ、従動部材の一例としてのアイドラロールＲｆおよび二次転写領域対向部材の一例としてのバックアップロールＴ２aと、前記１次転写器Ｔ1ｙ，Ｔ1ｍ，Ｔ1ｃ，Ｔ1ｋとを有している。そして、前記中間転写ベルトＢは、前記各ロールＲｄ，Ｒｔ，Ｒｗ，Ｒｆ，Ｔ２aにより構成される中間転写体支持部材の一例としてのベルト支持ロールＲｄ，Ｒｔ，Ｒｗ，Ｒｆ，Ｔ２aにより回転移動可能に支持されている。
【００３０】
前記バックアップロールＴ２aに接する中間転写ベルトＢの表面に対向して２次転写部材の一例としての二次転写ロールＴ２bが配置されており、前記各ロールＴ２a，Ｔ２bにより２次転写器Ｔ２が構成されている。また、２次転写ロールＴ２bおよび中間転写ベルトＢの対向する領域には２次転写領域Ｑ4が形成される。
前記１次転写領域Ｑ３ｙ，Ｑ３ｍ，Ｑ３ｃ，Ｑ３ｋで一次転写器Ｔ1ｙ，Ｔ1ｍ，Ｔ1ｃ，Ｔ1ｋにより中間転写ベルトＢ上に順次重ねて転写された単色または多色のトナー像は、前記２次転写領域Ｑ4に搬送される。
前記一次転写器Ｔ１ｙ〜Ｔ１ｋ、中間転写ベルトＢおよび二次転写器Ｔ２等により、実施例１の転写装置Ｔ１＋Ｔ２＋Ｂが構成されている。
前記像保持体ＰＲｙ〜ＰＲｋ、前記現像装置Ｇｙ〜Ｇｋ、前記転写装置Ｔ１＋Ｔ２＋Ｂ等により実施例１の画像記録装置（ＰＲｙ〜ＰＲｋ＋Ｇｙ〜Ｇｋ＋Ｔ１＋Ｔ２＋Ｂ）が構成されている。
【００３１】
前記可視像形成装置Ｕｙ〜Ｕｋの下方には、ガイド部材の一例としての左右一対のガイドレールＧＲが３段設けられており、前記ガイドレールＧＲには、媒体収容容器の一例としての給紙容器、いわゆる、給紙トレイＴＲ1〜ＴＲ3が前後方向に出入可能に支持されている。給紙トレイＴＲ1〜ＴＲ3に収容された媒体の一例としての記録シートＳは、媒体搬送部材の一例としての媒体取出部材、いわゆる、ピックアップロールＲpにより取り出され、媒体捌き部材の一例としてのさばきロールＲsにより１枚ずつ分離される。そして、記録シートＳは、媒体搬送路の一例であるシート搬送路ＳＨに沿って搬送部材の一例としての複数の搬送ロールＲａにより搬送され、２次転写領域Ｑ４のシート搬送方向上流側に配置された転写領域搬送時期調節部材の一例としてのレジロールＲrに送られる。
【００３２】
前記シート搬送路ＳＨ、前記シート搬送ロールＲａ、前記レジロールＲｒ等により媒体搬送装置（ＳＨ＋Ｒａ＋Ｒｒ）が構成されている。
また、前記給紙トレイＴＲ1〜ＴＲ3、前記ピックアップロールＲp、前記さばきロールＲs等により媒体供給装置（ＴＲ1〜ＴＲ3＋Ｒp＋Ｒs）が構成されている。
【００３３】
前記レジロールＲｒは、前記中間転写ベルトＢに形成されたトナー像が２次転写領域Ｑ4に搬送されるのに時期を合わせて、前記記録シートＳを２次転写領域Ｑ4に搬送する。記録シートＳが前記２次転写領域Ｑ4を通過する際、前記バックアップロールＴ２aは接地され、２次転写器Ｔ２bには前記制御部Ｃにより制御される電源回路Ｅからトナーの帯電極性と逆極性の２次転写電圧が印加される。このとき、前記中間転写ベルトＢ上のトナー像は、前記２次転写器Ｔ２により記録シートＳに転写される。
２次転写後の前記中間転写ベルトＢは、中間転写体清掃器の一例としてのベルトクリーナＣＬbにより清掃される。
【００３４】
前記トナー像が２次転写された記録シートＳは、定着装置Ｆの加熱用定着部材の一例としての加熱ロールＦhおよび加圧用定着部材の一例としての加圧ロールＦpの圧接領域である定着領域Ｑ5に搬送され、前記定着領域を通過する際に加熱定着される。加熱定着された記録シートＳは、媒体排出部材の一例としての排出ローラＲhから媒体排出部の一例としての排紙トレイＴＲhに排出される。
なお、前記加熱ロールＦh表面には、記録シートＳの前記加熱ロールＦhからの離型性を良くするための離型剤が離型剤塗布装置Ｆaにより塗布されている。
【００３５】
前記ベルトモジュールＢＭの上方にはイエローＹ，マゼンタＭ，シアンＣ，黒Ｋの各現像剤を収容する現像剤補給容器の一例としての現像剤カートリッジＫｙ，Ｋｍ，Ｋｃ，Ｋｋが配置されている。各現像剤カートリッジＫｙ，Ｋｍ，Ｋｃ，Ｋｋに収容された現像剤は、前記現像装置Ｇｙ，Ｇｍ，Ｇｃ，Ｇｋの現像剤の消費に応じて、図示しない現像剤補給路から前記各現像装置Ｇｙ，Ｇｍ，Ｇｃ，Ｇｋに補給される。なお、実施例１では、前記現像剤として、磁性のキャリアと、外添剤が付与されたトナーとを含む二成分現像剤により構成されている。
【００３６】
図１において、前記画像形成装置Ｕは、上側枠体ＵＦと下側枠体ＬＦとを有しており、上側枠体ＵＦには、前記可視像形成装置Ｕｙ〜Ｕｋおよび可視像形成装置Ｕｙ〜Ｕｋよりも上方に配置された部材、すなわち、ベルトモジュールＢＭ等が支持されている。
また、下側枠体ＬＦには、前記給紙トレイＴＲ1〜ＴＲ3を支持するガイドレールＧＲおよび前記各トレイＴＲ1〜ＴＲ3から給紙を行う前記給紙部材、すなわち、ピックアップロールＲp，さばきロールＲs，シート搬送ロールＲa等が支持されている。
【００３７】
図３は実施例１のピックアップロールの要部拡大説明図である。
図４は図３の状態から後側コロを取り外した状態の説明図である。
図５は図４の状態から前側コロを取り外した状態の説明図である。
図６は図５を矢印ＶＩ方向から見た状態の説明図である。
図７は図６の状態から閉塞部材を取り外した状態の説明図である。
図８は図７の状態から媒体搬送部材本体を取り外した状態の説明図であり、回転軸および駆動伝達用ピンの説明図である。
【００３８】
図３〜図８において、実施例１の前記ピックアップロールＲpは、回転可能に支持されて回転駆動される回転軸１を有する。
図７および図８において、実施例１の前記回転軸１は、軸方向に間隔をあけてリング状に形成された複数の溝部の一例としての第１溝部１ａおよび第２溝部１ｂを有する。また、前記回転軸１は、前記第１溝部１ａと第２溝部１ｂとの間に配置され、径方向に貫通する貫通孔１ｃとを有する。なお、実施例１の前記貫通孔１ｃには、前記回転軸の径方向に延びる駆動伝達部材の一例としての駆動伝達用ピン２が貫通した状態で支持されている。
【００３９】
また、図３〜図７において、前記回転軸１には、前記回転軸１の回転に応じて前記記録シートＳを搬送する略円筒状の媒体搬送部材本体３が支持されている。
実施例１の前記媒体搬送部材本体３は、略円筒状の芯部材の一例としてのコア部材４を有する。実施例１の前記コア部材４は、中心軸に沿って軸方向に貫通して形成された被支持部４ａを有する。実施例１の前記被支持部４ａには、軸方向後端部から中央部まで延び且つ前記駆動伝達用ピン２に応じて凹状で径方向に延びる被駆動伝達部の一例としてのピン挿入溝４ａ１が形成されている。
【００４０】
また、前記コア部材４の外表面には、中心角が大きな円弧状の大径部４ｂと、前記大径部４ｂの中心角の残りの中心角を有し大径部よりも小径で円弧状の小径部４ｃとが形成されている。前記小径部４ｃは、前記コア部材４の外周の一部が周方向に除かれた除かれ部のような形状により構成されている。前記小径部４ｃには、外表面から前記被支持部４ａまで径方向に延び且つ軸方向に延びる挿入溝４ｄが形成されている。
また、前記大径部４ｂの外周面には、前記記録シートＳに接触して搬送する接触搬送部５が支持されている。実施例１の前記接触搬送部５は、摩擦係数の高い樹脂等の弾性部材により構成されている。また、前記接触搬送部５は、摩擦力を高めるために断面円弧の周方向に対して所定の間隔で配置され且つ軸方向に延びる複数の溝５ａが形成されている。
【００４１】
図９は実施例１の閉塞部材の拡大説明図である。
また、図４〜図６、図９において、前記回転軸１には、前記媒体搬送部材本体３の軸方向の前端から後端まで延びて形成された閉塞部材６が支持されている。
図９において、実施例１の前記閉塞部材６は、軸方向の前端から後端まで延び且つ前記挿入溝４ｄに嵌まるように、前記挿入溝４ｄの周方向の幅に合わせて形成された平板状の閉塞部材本体７を有する。前記閉塞部材本体７の軸方向の前後両端部には、両端から前記回転軸１側に延びる外端閉塞部の一例としての前側外端閉塞部８および後側外端閉塞部９が形成されている。
【００４２】
実施例１の前記前側外端閉塞部８は、前記回転軸１の径方向、すなわち、前記前側外端閉塞部８の幅方向に互いに接近・離間する方向に弾性変形可能な一対の腕部の一例としての前側腕部８ａ，８ｂを有する。実施例１の前記前側腕部８ａ，８ｂは、前記回転軸１側の端部に、前記回転軸１に応じて半円弧凹状に形成された一対の前側挟持部８ａ１，８ｂ１を有する。
また、前記前側外端閉塞部８は、前記前側腕部８ａ，８ｂの間に配置され且つ弾性変形可能な前側解除腕部８ｃを有する。実施例１の前記前側解除腕部８ｃの回転軸１側端部には、前方に突起する前側解除操作部８ｄが形成されている。
【００４３】
図１０は実施例１の前側外端閉塞部の説明図であり、図１０Ａは図９のＸＡ−ＸＡ線断面図であり、前側解除腕部が通常位置に配置された状態の説明図であり、図１０Ｂは図１０Ａの状態から前側コロが前側解除操作部の前端面を押圧して前側解除腕部が通常位置から解除位置に移動した状態の説明図である。
図１０において、実施例１の前記前側解除操作部８ｄは、前方に進むに連れて、幅方向が長くなるように形成されている。このため、前記前側解除操作部８ｄを後方、すなわち、前記閉塞部材６内方に押圧して、前記前側解除腕部８ｃを弾性変形させた場合には、前記前側腕部８ａ，８ｂの間に前記前側解除操作部８ｄが進入して側面が前記前側腕部８ａ，８ｂに接触して互いに離間する方向に移動させることができる。すなわち、前記前側解除腕部８ｃを、図１０Ａに示す、前記前側腕部８ａ，８ｂが互いに接近して前記前側挟持部８ａ１，８ｂ１で前記回転軸１を挟持可能になる通常位置と、図１０Ｂに示す、前記前側腕部８ａ，８ｂを互いに離間させて前記前側挟持部８ａ１，８ｂ１による前記回転軸１の挟み込みが解除可能になる解除位置との間で移動させることができる。
【００４４】
また、前記後側外端閉塞部９は、前記前側腕部８ａ，８ｂと同様の後側腕部９ａ，９ｂと、前記前側挟持部８ａ１，８ｂ１と同様の後側挟持部９ａ１，９ｂ１と、前記前側解除腕部８ｃと同様の後側解除腕部８ｃと、前記前側解除操作部８ｄと前後対称に形成された前側解除操作部９ｄとを有する。
したがって、実施例１では、図４〜図６に示すように、前記各挟持部８ａ１，８ｂ１，９ａ１，９ｂ１で前記回転軸１を挟持することにより、前記閉塞部材６が前記回転軸１に支持されている。
前記各挟持部８ａ１，８ｂ１，９ａ１，９ｂ１が形成された前記各腕部８ａ，８ｂ，９ａ，９ｂにより、実施例１の閉塞部材被支持部８ａ，８ｂ，９ａ，９ｂが構成されている。また、前記各解除操作部８ｄ，９ｄが形成された前記各解除腕部８ｃ，９ｃにより、実施例１の支持解除部８ｃ，９ｃが構成されている。
【００４５】
さらに、図３において、前記回転軸１には、前記閉塞部材６の軸方向両端の外方に設けられた小径部材の一例としての一対の前側コロ１１および後側コロ１２が軸方向にスライド移動可能に支持されている。実施例１の前記各コロ１１，１２は、軸方向に沿って外方に前記各溝部１ａ，１ｂに係合する軸方向位置決め用爪部１１ａ，１２ａを有する。
なお、実施例１の前記各コロ１１，１２の外径は、前記コア部材４の大径部４ｂの外径よりも小さく、且つ、前記小径部４ｃの外径よりも大きく形成されている。また、実施例１の前記各コロ１１，１２は、前記記録シートＳに対して高い摺動性を有する高摺動部材、例えば、ＰＴＦＥ、すなわち、ポリテトラフルオロエチレン等のフッ素樹脂、いわゆる、テフロン（登録商標）等により表面層を形成することも可能である。
【００４６】
（実施例１の作用）
前記構成を備えた実施例１の前記画像形成装置Ｕでは、前記記録シートＳに画像を記録する場合、前記給紙トレイＴＲ1〜ＴＲ3に積載された前記記録シートＳの束のうちの最上位の記録シートＳのみが前記ピックアップロールＲpにより取り出され、前記さばきロールＲsを介して前記媒体搬送装置（ＳＨ＋Ｒａ＋Ｒｒ）に搬送される。この結果、前記媒体供給装置（ＴＲ1〜ＴＲ3＋Ｒp＋Ｒs）により供給された前記記録シートＳは、前記媒体搬送装置（ＳＨ＋Ｒａ＋Ｒｒ）を介して、前記画像記録装置（ＰＲｙ〜ＰＲｋ＋Ｇｙ〜Ｇｋ＋Ｔ１＋Ｔ２＋Ｂ）に搬送され、入力された画像情報に応じて画像が記録される。
【００４７】
ここで、実施例１の前記ピックアップロールＲpでは、図７および図８に示すように、前記回転軸１を貫通した状態で支持された前記駆動伝達用ピン２が、前記駆動伝達用ピン２に応じて形成された前記コア部材４のピン挿入溝４ａ１に挿入されている。したがって、実施例１の前記ピックアップロールＲpでは、前記媒体搬送部材本体３に前記回転軸１の回転駆動が伝達される。
また、実施例１の前記ピックアップロールＲpでは、前記回転軸１の回転駆動により、前記コア部材４の大径部４ｂが前記記録シートＳに対向する下側に配置された場合には、前記大径部４ｂに支持された前記接触搬送部５が前記最上位の記録シートＳの上面に接触する。このため、前記回転軸１の回転駆動と前記接触搬送部５の摩擦力とにより、前記接触搬送部５の回転に応じて前記最上位の記録シートＳのみが取り出される。
【００４８】
また、前記最上位の記録シートＳが前記さばきロールＲsに搬送されて、前記コア部材４の小径部４ｃが下側に配置された場合には、前記小径部４ｃよりも大径の前記各コロ１１，１２が、次の記録シートＳの上面に接触する。この結果、前記回転軸１の回転駆動により、前記各コロ１１，１２の外表面が前記次の記録シートＳの上面を滑りながら押圧する。このため、例えば、静電気等により、前記次の記録シートＳが送り出された前記最上位の記録シートＳに連られて送り出されそうになっていた場合でも、前記次の記録シートＳが押さえられる。したがって、実施例１の前記ピックアップロールＲpでは、前記各コロ１１，１２が配置されていない場合に比べ、前記次の記録シートＳが前記最上位の記録シートＳに連れて前記さばきロールＲsに搬送されることが低減される。
【００４９】
また、実施例１の前記ピックアップロールＲpでは、前記回転軸１は、図９に示す前記閉塞部材６の各挟持部８ａ１，８ｂ１，９ａ１，９ｂ１に挟持されている。また、前記小径部４ｃに形成された前記挿入溝４ｄは、前記閉塞部材６の閉塞部材本体７および各外端閉塞部８，９で閉塞されている。すなわち、前記挿入溝４ｄは、前記小径部４ｃの外表面側が前記閉塞部材本体７により閉塞されると共に、前記小径部４ｃの前後両端面側が前記各外端閉塞部８，９により閉塞されている。
【００５０】
したがって、実施例１の前記ピックアップロールＲpでは、前記回転軸１の回転駆動により、前記挿入溝４ｄが前記閉塞部材６で閉塞された状態で、前記媒体搬送部材本体３と前記閉塞部材６とが一体的に回転する。この結果、例えば、前記画像形成動作を継続しつつ、前記回転軸１が回転駆動中の前記給紙トレイＴＲ1〜ＴＲ3以外の前記給紙トレイＴＲ1〜ＴＲ3に記録シートＳを補給する際に、補給する作業者の指が回転駆動中の前記ピックアップロールＲpに誤って触れてしまい、前記指が前記挿入溝４ｄに嵌まって前記媒体搬送部材本体３の回転に巻き込まれる等の事故が防止される。また、例えば、前記回転軸１の回転駆動中に、前記作業者の筆記具や工具等のその他の物体が前記挿入溝４ｄに嵌まって前記物体が破損したり、前記ピックアップロールＲpや前記媒体供給装置（ＴＲ1〜ＴＲ3＋Ｒp＋Ｒs）のその他の部材が破損する等の事故が防止される。
【００５１】
なお、実施例１の前記ピックアップロールＲpでは、例えば、前記給紙トレイＴＲ1〜ＴＲ3から大量の前記記録シートＳを送り出した結果、前記接触搬送部５が磨耗劣化している場合には、前記接触搬送部５を交換、すなわち、前記媒体搬送部材本体３を交換する必要がある。
前記媒体搬送部材本体３を交換する場合、まず、図３の状態から、前記各コロ１１，１２の軸方向位置決め用爪部１１ａ，１２ａと、前記回転軸１の各溝部１ａ，１ｂとの係合を解除する。次に、この状態から、図１０に示すように、前記各コロ１１，１２を前記回転軸１の軸方向の内側にスライド移動させて前記閉塞部材６の両端面を押圧する。
【００５２】
すなわち、前記前側コロ１１の後端面で前記前側解除操作部８ｄの前端面を押圧すると共に、前記後側コロ１２の前端面で前記後側解除操作部９ｄの前端面を押圧する。この場合、前記閉塞部材被支持部８ａ，８ｂ，９ａ，９ｂおよび前記支持解除部８ｃ，９ｃの弾性変形により、前記各解除腕部８ｃ，９ｃが、図１０Ａに示す通常位置から、図１０Ｂに示す解除位置に移動する。この結果、前記各挟持部８ａ１，８ｂ１，９ａ１，９ｂ１による前記回転軸１の挟み込みが解除される。
したがって、実施例１の前記ピックアップロールＲpでは、前記各コロ１１，１２で前記閉塞部材６の両端面を押圧して前記回転軸１の挟持を解除した状態で、前記閉塞部材６を前記回転軸の径方向に引き出すことにより、前記閉塞部材６が前記回転軸１から容易に取り外される。
【００５３】
次に、この状態から、前記各コロ１１，１２を前記回転軸１の軸方向の外側にスライド移動させることにより、図７に示す状態になる。この状態から、前記媒体搬送部材本体３を、軸方向の前方にスライド移動させ、前記駆動伝達用ピン２を前記ピン挿入溝４ａ１の外方まで移動させる。この場合、前記閉塞部材６を前記回転軸の径方向に引き出すことにより、前記媒体搬送部材本体３が前記回転軸１から取り外され、図８に示す状態になる。
そして、図８の状態から、上述と逆の作業を行うことにより、新たな媒体搬送部材本体３が前記回転軸１に装着される。
【００５４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ06）を下記に例示する。
（Ｈ01）本発明は、電子写真方式の画像形成装置に限定されず、インクジェット記録方式の画像形成装置にも適用可能である。
（Ｈ02）前記実施例において、画像形成装置としての複写機を例示したが、これに限定されず、ＦＡＸやプリンタあるいはこれらすべてまたは複数の機能を備えた複合機とすることも可能である。
【００５５】
（Ｈ03）前記実施例において、閉塞部材６は、前記回転軸１を挟持する前記各挟持部８ａ１，８ｂ１，９ａ１，９ｂ１が形成された前記各外端閉塞部８，９を有することが好ましいが、例えば、前記各外端閉塞部８，９を省略し、前記閉塞部材本体７のみにより構成された前記閉塞部材６が前記挿入溝４ｄの外周面側のみを閉塞した状態で前記小径部４ｃに支持されるように構成することも可能である。また、例えば、前記各挟持部８ａ１，８ｂ１，９ａ１，９ｂ１のみを省略し、前記閉塞部材本体７および前記各外端閉塞部８，９により構成された前記閉塞部材６が前記挿入溝４ｄ全体を閉塞した状態で前記小径部４ｃに支持されるように構成することも可能である。
【００５６】
（Ｈ04）前記実施例において、閉塞部材６には、前記閉塞部材被支持部８ａ，８ｂ，９ａ，９ｂと、前記支持解除部８ｃ，９ｃとが形成されていることが好ましいが、これを省略して、弾性変形可能な前記挟持部８ａ１，８ｂ１，９ａ１，９ｂ１のみを形成することも可能である。
（Ｈ05）前記実施例において、前記各コロ１１，１２が配置されていることが好ましいが、前記各コロ１１，１２の片方または両方を省略することも可能である。また、前記回転軸１の各溝部１ａ，１ｂと係合する前記軸方向位置決め用爪部１１ａ，１２ａのみを省略することも可能である。
【００５７】
（Ｈ06）前記実施例において、前記各コロ１１，１２を前記回転軸１の軸方向の内側にスライド移動させて前記閉塞部材６の両端面を押圧して、前記各挟持部８ａ１，８ｂ１，９ａ１，９ｂ１による前記回転軸１の挟み込みを解除したが、これに限定されず、例えば、作業者の指により、前記閉塞部材６の両端面を押圧して解除することも可能である。
【図面の簡単な説明】
【００５８】
【図１】図１は本発明の実施例１の画像形成装置の全体説明図である。
【図２】図２は実施例１の画像形成装置の要部拡大説明図である。
【図３】図３は実施例１のピックアップロールの要部拡大説明図である。
【図４】図４は図３の状態から後側コロを取り外した状態の説明図である。
【図５】図５は図４の状態から前側コロを取り外した状態の説明図である。
【図６】図６は図５を矢印ＶＩ方向から見た状態の説明図である。
【図７】図７は図６の状態から閉塞部材を取り外した状態の説明図である。
【図８】図８は図７の状態から媒体搬送部材本体を取り外した状態の説明図であり、回転軸および駆動伝達用ピンの説明図である。
【図９】図９は実施例１の閉塞部材の拡大説明図である。
【図１０】図１０は実施例１の前側外端閉塞部の説明図であり、図１０Ａは図９のＸＡ−ＸＡ線断面図であり、前側解除腕部が通常位置に配置された状態の説明図であり、図１０Ｂは図１０Ａの状態から前側コロが前側解除操作部の前端面を押圧して前側解除腕部が通常位置から解除位置に移動した状態の説明図である。
【符号の説明】
【００５９】
１…回転軸、
１ａ，１ｂ…溝部、
３…媒体搬送部材本体、
４ａ…被支持部、
４ｃ…切除部、
４ｄ…挿入溝、
５…接触搬送部、
６…閉塞部材、
８，９…外端閉塞部、
８ａ，８ｂ，９ａ，９ｂ…腕部、閉塞部材被支持部、
８ａ１，８ｂ１，９ａ１，９ｂ１…挟持部、
８ｃ，９ｃ…解除腕部、支持解除部、
８ｄ，９ｄ…解除操作部、
１１，１２…小径部材、
１１ａ，１２ａ…軸方向位置決め用爪部、
（ＰＲｙ〜ＰＲｋ＋Ｇｙ〜Ｇｋ＋Ｔ１＋Ｔ２＋Ｂ）…画像記録装置、
Ｒp…媒体搬送部材、
Ｓ…媒体、
（ＳＨ＋Ｒａ＋Ｒｒ）…媒体搬送装置、
ＴＲ1〜ＴＲ3…媒体収容容器、
（ＴＲ1〜ＴＲ3＋Ｒp＋Ｒs）…媒体供給装置、
Ｕ…画像形成装置。
【図１】
2009227428.tif 000003
【図２】
2009227428.tif 000004
【図３】
2009227428.tif 000005
【図４】
2009227428.tif 000006
【図５】
2009227428.tif 000007
【図６】
2009227428.tif 000008
【図７】
2009227428.tif 000009
【図８】
2009227428.tif 000010
【図９】
2009227428.tif 000011
【図１０】
2009227428.tif 000012